(57)【特許請求の範囲】
【請求項１】
薬液タンク（２）とモーター（４）とポンプ（５）とバッテリー（３）と背負い枠（１）からなる噴霧本体と、噴霧竿（１５）と、該噴霧竿（１５）と前記ポンプ（５）を接続する噴霧ホース（１４）を備えた電動噴霧器において、該噴霧竿（１５）に吐出量の調節部材であるコック（２０）と、該調節部材であるコック（２０）の操作を検出する検知部材と、該検知部材が検出した検出信号を送信する送信機（２１）を設け、該送信機（２１）を噴霧竿（１５）のグリップ（１６）内に一体的に構成し、該送信機（２１）を作動させる為のバッテリー（２５）をも、前記グリップ（１６）に一体的に組み込み、前記噴霧本体側に前記信号を受信する受信機（６）と、該受信信号によりモーター（４）を制御するモーター駆動制御回路（１１）を配置し、前記ポンプ（５）の吐出口に連通した取出口（１２）と、噴霧ホース（１４）の両端と、前記グリップ（１６）基部の接続部（１６ａ）には、着脱可能なカプラを配置したことを特徴とする電動噴霧機。
【請求項２】
請求項１記載の電動噴霧機において、前記調節部材であるコック（２０）の操作を検出する部材で開度を検知し、該開度に合わせて前記モーター（４）の回転数を制御するようにしたことを特徴とする電動噴霧機。
【発明の詳細な説明】
【０００１】
【発明の属する技術分野】
本発明は、電動噴霧機の本体に受信機、噴霧竿に送信機を配置して操作や作業を容易にする技術に関する。
【０００２】
【従来の技術】
従来から背負い式の電動噴霧機を用いて散布作業は行われており、該電動噴霧機は背負い枠上にモーターとポンプとバッテリーと薬液タンクを配置し、前記モーターの出力軸に薬液圧送用のポンプの駆動軸を連結し、該ポンプの吸入口は薬液タンクに連通し、ポンプの吐出口には噴霧ホース等を介して噴霧竿のノズルに連通していた。そして、該噴霧竿のグリップにバルブと連動するＯＮ・ＯＦＦスイッチを設け、該ＯＮ・ＯＦＦスイッチとモーターの駆動回路を電線を介して接続し、ＯＮ・ＯＦＦスイッチの操作でモーターを駆動したり、停止したりして、噴霧作業ができるようにしていた。例えば、実開平４−６１６５１号の技術である。
【０００３】
また、設置式の動力噴霧機において、スイッチを噴霧竿に設け、作業者が携帯する送信機と前記スイッチの間をリード線で接続して、動噴に設けた受信機に作業命令を送信して、遠隔操作によってエンジンの停止や巻取をできるようにした技術も公知となっている。例えば実開平１−２５３７３号の技術である。
【０００４】
【発明が解決しようとする課題】
しかし、前者の技術のように、グリップに設けたスイッチと本体に設けたモーター駆動回路を電線を介して接続する構成であると、噴霧ホースと電線が一体的に構成されていないと、作業時や収納時や搬送時等で電線が引っ掛かったり、噴霧作業で噴口を振り回したときに作業の邪魔となるのである。また、噴霧ホースと電線が一体的に構成されていると、ホースとグリップまたはホースと本体とを連結する部分の構造が複雑となり、接触不良が生じ易く、また、ホースのみが劣化した場合や電線が途中で断線した場合や噴霧距離が長くなった場合等では、ホースと電線を同時に交換しなければならず、コストアップとなっていた。また、後者の技術のように、作業者が送信機を携帯し、送信機とスイッチの間をリード線で接続していると、噴霧作業時にリード線が邪魔になるのである。そして、動噴はエンジン駆動のため、作業時は常時運転しておく必要があり、コックを閉じたときにも運転しているので、エネルギーの無駄を生じていた。
【０００５】
【課題を解決するための手段】
本発明の解決しようとする課題は以上の如くであり、次にこの課題を解決するための手段を説明する。
【０００６】
請求項１においては、薬液タンク（２）とモーター（４）とポンプ（５）とバッテリー（３）と背負い枠（１）からなる噴霧本体と、噴霧竿（１５）と、該噴霧竿（１５）と前記ポンプ（５）を接続する噴霧ホース（１４）を備えた電動噴霧器において、該噴霧竿（１５）に吐出量の調節部材であるコック（２０）と、該調節部材であるコック（２０）の操作を検出する検知部材と、該検知部材が検出した検出信号を送信する送信機（２１）を設け、該送信機（２１）を噴霧竿（１５）のグリップ（１６）内に一体的に構成し、該送信機（２１）を作動させる為のバッテリー（２５）をも、前記グリップ（１６）に一体的に組み込み、前記噴霧本体側に前記信号を受信する受信機（６）と、該受信信号によりモーター（４）を制御するモーター駆動制御回路（１１）を配置し、前記ポンプ（５）の吐出口に連通した取出口（１２）と、噴霧ホース（１４）の両端と、前記グリップ（１６）基部の接続部（１６ａ）には、着脱可能なカプラを配置したものである。
【０００７】
請求項２においては、請求項１記載の電動噴霧機において、前記調節部材であるコック（２０）の操作を検出する部材で開度を検知し、該開度に合わせて前記モーター（４）の回転数を制御するようにしたものである。
【０００８】
【発明の実施の形態】
次に、本発明の実施の形態を添付の図面を用いて説明する。図１は本発明の電動噴霧機の全体正面図、図２はグリップの断面図、図３は延長ホースを連結して作業を行う状態を示す図、図４は本発明の制御ブロック図、図５は同じく他の実施例を示す図である。
【０００９】
図１において全体構成から説明する。合成樹脂等によって構成された枠体を構成する背負い枠１の上部に、薬液タンク２が一体的に形成され、背負い枠１の下部に、バッテリー３とモーター４と薬液圧送用のポンプ５と受信機６が配置されている。該ポンプ５の吐出口に噴霧ホース１４を介して、噴霧竿１５と連通される。９は受信機に接続されるアンテナ、１０は背負い枠１側面に配置するメインスイッチ、８は電圧表示器、１７はジャック接続部であり、該ジャック接続部１７に図３に示すように、アダプター（ＡＣ／ＤＣ変換器）１９を介して１００Ｖ電源と接続して、バッテリー３を充電したり、バッテリー３が放電した時や長時間の作業等ではアダプター１９を接続したままモーター４を駆動できるようにしている。
【００１０】
図４において噴霧機及びその制御構成を説明する。前記ポンプ５の駆動軸はモーター４の出力軸に連結され、該モーター４はモーター駆動制御回路１１と接続され、バッテリー３からの電力がモーター駆動制御回路１１に供給されてモーター４を駆動できるようにしている。該バッテリー３とモーター駆動制御回路１１との間にはメインスイッチ１０が介装され、モーター駆動制御回路１１には受信機６が接続される。また、モーター駆動制御回路１１ではモーター４の駆動・停止やモーターの回転数も制御できるようにしている。
【００１１】
そして、前記ポンプ５の吸込口はホース等を介して薬液タンク２と連通され、吐出口にはホース７（図１）を介して取出口１２と圧力設定バルブ１３と接続され、取出口１２は背負い枠１の側面に配設され、噴霧ホース１４と接続できるようにしている。前記圧力設定バルブ１３の二次側は、余水ホースと接続され、余水ホースの他端は薬液タンク２に連通されている。よって、ポンプ５の吐出圧が設定圧を越えると、設定バルブ１３を介して余水ホースより薬剤タンク２に戻される。
【００１２】
前記噴霧ホース１４の他端は、噴霧竿１５のグリップ１６に接続され、該グリップ１６には吐出量調節部材としてのコック２０と、該調節部材の操作を検出する部材、つまり、コック２０の開閉を検知するスイッチ２４と、該検出信号を送信する送信機２１が一体的に構成されている。こうして作業者が腰等に無線機を携帯する必要がなく、その構成に比べて作業をし易くしている。
【００１３】
該グリップ１６の先端には噴杆２２が連通され、該噴杆２２の先端にノズル２３が配置されている。この噴杆２２やノズル２３は作業に応じて交換できるようにしている。前記取出口１２と噴霧ホース１４の両端と、グリップ１６基部の接続部１６ａには、それぞれカプラが配置されて、容易に着脱できるようにしている。こうすることで、大量の散布作業をしたり、高い位置まで噴霧機を持ち上げなければならないとき等において、図３に示すように、噴霧機本体を任意位置に設置して、カプラを外して噴霧ホース１４の代わりに延長ホース２６と接続して、噴霧竿１５はそのまま使用して、散布作業ができるようにしている。また、噴霧ホースが劣化したり、破れたりした場合にも、噴霧ホースのみ容易に交換できるようにしている。
【００１４】
前記グリップ１６は、図２に示すように、コック２０と送信機２１が一体的に配置され、コック２０を回動することによって回動軸２０ｂと共に弁体２０ａも回動されて、グリップ１６内に形成した流通路の面積を変更して吐出量を変更できるようにしている。また、前記コック２０の回動軸２０ｂにはカム２０ｃが固設され、該カム２０ｃの外周にスイッチ２４の接点が当接するようにしており、該スイッチ２４は閉じ位置でＯＦＦ、薬液の流れ始から全開位置までがＯＮとなるようにしている。また、該スイッチ２４はグリップ１６内に一体的に設けて送信機２１と接続され、該送信機２１にはアンテナが接続されるが、本実施例では、前記噴杆２２を金属により構成してアンテナを兼ねるようにしている。また、送信機２１を作動させるために、送信回路にはボタン電池等のバッテリー２５が組み込まれている。但し、本実施例では電波を用いて受信機６と送信機２１の間で信号を送信する構成としているが、音波や赤外線等を用いることも可能である。また、コック２０はロータリ式のバルブとしているが、スプール等を摺動させて開閉するように構成することも可能であり、また、開閉位置の検知はスイッチとカムで検知する方法に限定するものでもない。
【００１５】
このように構成することによって、薬液を薬液タンク２に投入して、メインスイッチ１０をＯＮとして、コック２０を「開」側に回動すると、スイッチ２４がＯＮとなり、その信号が送信機２１より送信されて、受信機６に受信してモーター駆動制御回路１１を介して、モーター４を駆動する構成としている。このモーター４の駆動によって、ポンプ５が駆動され、吸込口より薬液を吸って吐出口より噴霧ホース１４を介して噴霧竿１５に送られ、コック２０で設定した量がノズル２３より吐出して散布される。なお、コック２０の開度が小さい場合には圧力設定バルブ１３を介して薬液タンク２に余水として戻される。
【００１６】
そして前記と逆に、コック２０を「閉」側へ回動すると、スイッチ２４がＯＦＦとなり、送信機２１より信号が送信されて、受信機６からモーター駆動制御回路１１を介してモーター４が停止される。こうして散布時のみモーター４が駆動されるので、無駄な電力の消費を防止することができる。
【００１７】
また、図５に示すように、前記スイッチ２４の代わりに可変抵抗やポテンショメータやロータリーエンコーダー等コック２０の回動角（開度）が検知できる角度検知部材３０で構成し、このコック２０の回動角度を送信機２１、受信機６を介してモーター駆動制御回路１１に入力して、回動角度に合わせた回転数でモーター４を駆動するように構成することもできる。そしてさらに、モーター駆動制御回路１１とに圧力設定バルブ１３の設定圧を調節するアクチュエーター３１と接続する。
【００１８】
このように構成することによって、コック２０の開度に合わせてモーター４の回転数が調節され、ポンプ５の吐出圧を調整できる。つまり、コック２０の開度が小さいと吐出量は少量で吐出距離も短く、開度が大きいと大量に吐出して吐出距離も長くすることができ、吐出量に合わせてモーター４の回転数を調節して、無駄なモーター４の駆動を防止して、バッテリー３の電力を消費を防止して、作業時間を長くするようにしている。
【００１９】
【発明の効果】
本発明は以上の如く構成したので、以下の効果を奏するものである。
請求項１の如く、薬液タンク（２）とモーター（４）とポンプ（５）とバッテリー（３）と背負い枠（１）からなる噴霧本体と、噴霧竿（１５）と、該噴霧竿（１５）と前記ポンプ（５）を接続する噴霧ホース（１４）を備えた電動噴霧器において、該噴霧竿（１５）に吐出量の調節部材であるコック（２０）と、該調節部材であるコック（２０）の操作を検出する検知部材と、該検知部材が検出した検出信号を送信する送信機（２１）を設け、該送信機（２１）を噴霧竿（１５）のグリップ（１６）内に一体的に構成し、該送信機（２１）を作動させる為のバッテリー（２５）をも、前記グリップ（１６）に一体的に組み込み、前記噴霧本体側に前記信号を受信する受信機（６）と、該受信信号によりモーター（４）を制御するモーター駆動制御回路（１１）を配置し、前記ポンプ（５）の吐出口に連通した取出口（１２）と、噴霧ホース（１４）の両端と、前記グリップ（１６）基部の接続部（１６ａ）には、着脱可能なカプラを配置したので、吐出量調節部材となるコックの開閉に合わせて、モーターを駆動させたり停止したりすることができて、コックを閉じているときにモーターが駆動されず、無駄な電力の消費がなくなり、バッテリーを長持ちさせて、作業時間を長くすることができる。
【００２０】
また、本体とグリップの間にリード線を配線してコックの開閉でポンプを操作する場合に比べて、リード線が邪魔にならず、また、噴霧ホースにリード線を一体的に設けた場合に比べて、噴霧ホースが劣化したり、破れたりした場合等において、噴霧ホースのみ交換すればよく、市販のものが使用できてメンテナンスが容易で、安価となる。
更に、本体を設置して噴霧ホースを長くして作業する場合に、噴霧ホースの付け替えだけでよく、配線や設定等の必要がなく、離れた場所でも容易に作業ができる。
【００２１】
また、前記送信機を噴霧竿のグリップに一体的に構成したので、送信機を作業者の腰や胸に装着して作業をする必要がなく、片方の指の操作で簡単に操作ができ、操作性を向上でき、コンパクト化を図ることができる。また、送信機とグリップの間のリード線もなくすことができて、作業の邪魔にならず、作業性を向上することができる。
【００２２】
また、請求項２の如く、前記調節部材の操作を検出する部材で開度を検知し、該開度に合わせてモーターの回転数を制御するようにしたので、コックの開度に合わせた吐出量が得られるようになり、吐出量や吐出距離の調整が容易にでき、圃場の広さや作物の種類等に合わせて作業ができるようになり、作業性を向上できる。また、少量の吐出にもかかわらずモーターを大量吐出に合わせた一定回転で駆動することがなく、無駄な電力の消費がなく、効率良く作業ができるようになった。
【図面の簡単な説明】
【図１】  本発明の電動噴霧機の全体正面図である。
【図２】  グリップの断面図である。
【図３】    延長ホースを連結して作業を行う状態を示す図である。
【図４】  本発明の制御ブロック図である。
【図５】  同じく他の実施例を示す図である。
【符号の説明】
１    背負い枠
２    薬液タンク
３    バッテリー
４    モーター
５    ポンプ
６    受信機
１１  モーター駆動制御回路
１４  噴霧ホース
１５  噴霧竿
１６  グリップ
２０  コック
２１  送信機
２４  スイッチ
３０  角度検知部材
【図１】
0003930666.tif 000002
【図２】
0003930666.tif 000003
【図３】
0003930666.tif 000004
【図４】
0003930666.tif 000005
【図５】
0003930666.tif 000006